【事件の表示】
　特願２０１２−２０５７７２「有機発光ダイオード表示装置およびその製造方法」拒絶査定不服審判事件〔平成２５年　４月１８日出願公開、特開２０１３−　６８９５１〕について、次のとおり審決する。
【結　論】
　本件審判の請求は、成り立たない。
【理　由】
第１　手続の経緯
　本願は、平成２４年９月１９日（パリ条約による優先権主張２０１１年９月２０日、韓国）の出願であって、平成２５年１０月３日付けで拒絶理由が通知され、平成２６年２月６日付けで意見書が提出されるとともに、同日付けで手続補正書が提出され、同年８月２０日付けで拒絶理由（最後）が通知され、同年１２月１７日付けで意見書が提出されるとともに、同日付けで手続補正書が提出されたが、平成２７年３月２５日付けで平成２６年１２月１７日付けの手続補正の補正の却下の決定がなされるとともに、同日付けで拒絶査定がなされた。
　本件は、これに対して、平成２７年７月２４日に拒絶査定に対する審判請求がなされ、同時に手続補正がなされたものである。その後、当審において、平成２８年２月１０日に、請求人に対して、電話で審尋を行ったところ、同年２月１５日に、請求人からファクシミリにより回答が提出された。
第２　平成２７年７月２４日付けの手続補正についての補正の却下の決定
［補正の却下の決定の結論］
　平成２７年７月２４日付けの手続補正を却下する。
［理由］
１　補正の内容
　平成２７年７月２４日付けの手続補正（以下「本件補正」という。）により、本願の特許請求の範囲の請求項１は、本件補正前の（平成２６年２月６日付けの手続補正により補正された）特許請求の範囲の請求項１である、
「基板上に定義され、映像を表示するように構成された表示領域と、
　前記表示領域を囲むように定義され、前記表示領域に含まれたピクセルに信号を提供するように構成された非表示領域と、
　前記基板の非表示領域に形成された第１薄膜トランジスタと、
　前記基板の表示領域に形成された第２薄膜トランジスタと、
　前記第１および第２薄膜トランジスタの上部に形成された平坦化膜と、
　前記非表示領域内の前記平坦化膜上に形成され、少なくとも１つの第１開口を含む第１電極と、
　前記平坦化膜上に形成され、前記第２薄膜トランジスタの電極に連結される第２電極と、
　前記第２電極と第１電極の上に形成され、前記第２電極の一部を露出させるように構成され、第１電極に隣接するように配置されたバンクパターンと、
　前記第２電極上に形成された有機発光層と、
　前記有機発光層上に形成された第３電極と、を含み、
　前記第１開口は、前記バンクパターンの下に配置されていることを特徴とする有機発光ダイオード表示装置。」
から、次のように補正された。
「基板上に定義され、映像を表示するように構成された表示領域と、
　前記表示領域を囲むように定義され、前記表示領域に含まれたピクセルに信号を提供するように構成された非表示領域と、
　前記基板の非表示領域に形成された第１薄膜トランジスタと、
　前記基板の表示領域に形成された第２薄膜トランジスタと、
　前記第１および第２薄膜トランジスタの上部に形成された平坦化膜と、
　前記非表示領域内の前記平坦化膜上に形成され、少なくとも１つの第１開口を含む第１電極と、
　前記平坦化膜上に形成され、前記第２薄膜トランジスタの電極に連結される第２電極と、
　前記第２電極と第１電極の上に形成され、前記第２電極の一部を露出させるように構成され、第１電極に隣接するように配置されたバンクパターンと、
　前記第２電極上に形成された有機発光層と、
　前記有機発光層上に形成された第３電極と、を含み、
　前記第１開口は、前記バンクパターンの下に配置され、
　
前記第１開口は、前記バンクパターンにより完全に覆われている、
（下線は、請求人が付したものであり、補正箇所である。）
　なお、本件補正後の「前記第１開口は、前記バンクパターンにより完全に覆われている」という記載の「完全に覆われている」が示す構成が必ずしも明らかでないところ、当審での、平成２８年２月１０日の請求人に対する電話での審尋で、特許請求の範囲の請求項１、９の「完全に覆われている」の「完全に」が意味する構成を明らかにするよう、ファクシミリで回答することを要請したところ、該審尋に対する回答として、同年２月１５日に請求人から送付されたファクシミリにおいて、請求人は、
「不服２０１５−１３９４２に関する審判官殿の質問に対する回答
　２月１０日の電話において、不服２０１５−１３９４２に関して、審判官殿から受けました質問に対して、回答致します。
［審判官殿の質問］
　審判請求時に加えられた記載「前記第１開口は、前記バンクパターンにより完全に覆われている」は、次のいずれのケースを意味しているのかが、不明確である。
（ケース１）第１開口が複数あり、その複数の開口のすべてが、バンクパターンに覆われている。
（ケース２）１つの第１開口の開口領域全体が、バンクパターンに覆われている。
（ケース３）上記ケース１、２の組み合わせ
［審判請求人の回答］
　審判請求人は、上記ケース１を意味で、上記記載を用いております。」
（「上記ケース１を意味で」は「上記ケース１の意味で」の誤記であると認める。）と記載していることを参酌すれば、上記本件補正後の請求項１の「前記第１開口は、前記バンクパターンにより完全に覆われている」は、「第１開口」が複数あり、その複数の「第１開口」のすべてが、「バンクパターン」で覆われている構成を意味すると認める。
２　補正の目的
　本件補正後の請求項１は、本件補正前の請求項１に、「前記第１開口は、前記バンクパターンにより完全に覆われている」という、「第１開口」と「バンクパターン」配置関係を限定する記載が追加されたものであるから、本件補正の請求項１についての補正は、特許請求の範囲の減縮を目的とするものである。
３　新規事項
（１）請求人の主張について
　この特許請求の範囲の補正について、請求人は、審判請求書の【請求の理由】において、
「３．補正について
　本審判請求書と同時に提出致しました手続補正書により、請求項１、９において、「第１開口」を「バンクパターンにより完全に覆われている」ものに限定する補正を致しました。当該補正は、出願当初の図３の記載などに基づくものであり、新規事項の追加にあたらないと思料致します。」
と主張している。
　そこで、本件補正後の請求項１の
「前記第１開口は、前記バンクパターンにより完全に覆われている」
が、本願の願書に最初に添付した明細書、特許請求の範囲又は図面（以下、単に「当初明細書等」という。）に記載した事項の範囲内においてしたものであるか否かを、以下に検討する。
（２）当初明細書等の記載
　請求人が補正の根拠とする【図３】の他に、当初明細書等に、「第１開口」と「バンクパターン」との配置関係に関連する記載は、「前記GIP領域で前記第１電極１７５に形成された第１開口H３によって、前記GIP領域の平坦化膜１４０からアウトガスされた物質を、前記バンクパターン１５０に排出されるように導くことが可能になる。」（段落【００５４】）、「このように、本発明による有機発光ダイオード表示装置は、非表示領域NDA上に少なくとも１つ以上の第１開口H３を形成して、前記非表示領域NDAの平坦化膜１４０からアウトガスされた物質が前記第１開口H３を介して前記非表示領域NDAのバンクパターン１５０に排出されるようにする。」（段落【００８６】）、「前記非表示領域NDAに前記第１及び第２開口H３、H４が形成されることで、前記非表示領域NDAの平坦化膜１４０からアウトガスされた物質が、前記第１及び第２開口H３、H４を介して前記非表示領域NDAのバンクパターン１５０に排出される。」（段落【００９３】）及び【図１１】の記載がある。（なお、【図８】〜【図１０】は、「第１開口」と「バンクパターン」との配置関係については、【図３】と同じ事項を開示するものであるから、省略する。）
　そして、これらの段落の記載、【図３】及び【図１１】の記載と関連する【図１】並びに【図１】、【図３】及び【図１１】の簡単な説明は、下記のとおりである。
「【図１】
【図３】
【図１１】
　　　　　　　　　　　　　　　　　　　　　」
「【図面の簡単な説明】
【００２２】
　【図１】本発明の実施例に係る有機発光ダイオード表示装置の平面図を概略的に現わした図面である。
（略）
　【図３】図１のI〜I’に沿って切断した断面図である。
（略）
【図１１】本発明の別の実施例に係る図１のI〜I’領域の断面図である。」
　なお、（「第１開口」が設けられた）「第１電極」と「バンクパターン」との配置関係に関連する記載としては、下記のような記載がある。
「第１電極に隣接するように配置されたバンクパターン」（段落【００１７】、【００１８】、【請求項１】、【請求項７】）
「前記第１電極は、前記平坦化膜からアウトガスされた物質を、前記バンクパターンに排出されるように導く構成である」（段落【００１９】、【請求項１２】）
「上記に記載した第１電極１７５の形態は、前記GIP領域の平坦化膜１４０からアウトガスされた物質を、前記バンクパターン１５０に排出されるように導く第１電極の一例である。」（段落【００５７】）
「図８に示すように、前記第２電極１４５および第１電極１７５が形成された基板１００
上に、ポリイミドまたはフォトレジスト等の感光性有機材料を全面塗布した後、フォトリ
ソグラフィ工程によって前記有機材料をパターニングして、発光セルを区画するためのバ
ンクパターン１５０を形成する。」（段落【００８０】）
（３）検討
ア　まず、本件補正後の請求項１の「前記第１開口は、前記バンクパターンにより完全に覆われている」という記載が、当初明細書等に存在しないことは明らかである。
イ　そこで、請求人が、補正の根拠として主張する【図３】の記載を検討する。
　【図３】は、「図１のI〜I’に沿って切断した断面図であ」り、【図３】からは、「第１電極１７５」に６つの「第１開口H３」が設けられており、その６つの「第１開口H３」すべてが、「バンクパターン１５０」に覆われている構成を読み取ることができる。
　このことから、【図３】を一見すると、「第１開口」が複数あり、その複数の「第１開口」のすべてが、「バンクパターン」で覆われている構成、すなわち、本件補正後の請求項１の「前記第１開口は、前記バンクパターンにより完全に覆われている」と記載される構成が、当初明細書等に記載されているように思われる。
　しかし、【図３】は、「図１のI〜I’に沿って切断した断面図であ」るとのみ説明され、【図１】には、「表示領域AA」の４辺を囲む「非表示領域NDA」のうちの特定の１箇所の切断面I〜I’が記載されるのみであるから、【図１】の「表示領域AA」の４辺を囲む「非表示領域NDA」のうちの特定の１箇所の切断面I〜I’では、【図３】の記載から読み取ることができる上記構成となっていることまでは認められるが、【図１】の「表示領域AA」の４辺を囲む「非表示領域NDA」の他のすべての切断面で、【図３】の記載から読み取ることができる上記構成となっていることまでは読み取ることができない。
　さらに、当初明細書等には、【図１】の「表示領域AA」の４辺を囲む「非表示領域NDA」のどの切断面でも、【図３】の記載から読み取ることができる上記構成となっていることの開示や示唆はないし、また、有機ＥＬ表示装置一般において、本件補正後の請求項１の「第１電極」に相当する電極の形状が、表示領域の周囲の非表示領域のどの部分でも必ず同じであるというような事情もない。（例えば、国際公開第２０１１／０４５９１１号の［図１］〜［図３］（下記「第３」「２」「（２）」「ウ」参照）に、本件補正後の請求項１の「第１電極」に相当する「電極板３３」の形状が、「表示部５２」の全周囲で一定でない（同じ幅ではない）構成が記載されている。）
　また、当初明細書等の【図３】以外の他の記載、特に、上記「（２）」で摘記した記載においても、【図１】の「表示領域AA」の４辺を囲む「非表示領域NDA」のどの切断面でも、【図３】の記載から読み取ることができる上記構成となっていることの開示や示唆はないことは明らかである。
　すると、当初明細書等には、「第１開口」が複数あり、その複数の「第１開口」のすべてが、「バンクパターン」で覆われている構成、すなわち、本件補正後の請求項１の「前記第１開口は、前記バンクパターンにより完全に覆われている」構成が記載されているとは認められず、本件補正前の特許請求の範囲の請求項１に、「前記第１開口は、前記バンクパターンにより完全に覆われている」を追加する補正は、当初明細書等に記載した事項との関係において、新たな技術的事項を導入するものである。
（４）結論
　したがって、本件補正前の特許請求の範囲の請求項１に、「前記第１開口は、前記バンクパターンにより完全に覆われている」を追加する補正を含む本件補正は、当初明細書等に記載された範囲内でしたものではないから、本件補正は、特許法第１７条の２第３項の規定に違反する。
４　むすび
　よって、本件補正は、特許法第１７条の２第３項の規定に違反するので、同法第１５９条第１項において読み替えて準用する同法第５３条第１項の規定により却下すべきものである。　
第３　本願発明について
１　本願発明
　平成２７年７月２４日付けの手続補正は上記のとおり却下され、平成２７年３月２５日付けで平成２６年１２月１７日付けの手続補正の補正の却下の決定がなされているので、本願の特許請求の範囲の請求項１に係る発明（以下「本願発明」という。）は、平成２６年２月６日付けの手続補正で補正された特許請求の範囲の請求項１に記載された事項（上記「第２」「［理由］」「１」の本件補正前の請求項１の記載参照。）により特定されるとおりのものである。
２　引用刊行物
（１）原査定の拒絶の理由に引用され、本願の優先日前に頒布された刊行物である、特開２０１１−４４４１７号公報（以下「引用文献１」という。）には、以下の事項が記載されている。（下線は当審で付した。）
ア　「【発明を実施するための形態】
【００２１】
　以下、添付した図面を参照して本発明の実施形態を更に詳細に説明する。
【００２２】
　図１は、有機電界発光表示装置の一例を示すブロック図である。
【００２３】
　図１を参照すれば、本発明の有機電界発光表示装置は、走査駆動部１０と、発光制御駆動部２０と、データ駆動部３０と、画素部４０と、タイミング制御部６０とを含んでいる。
【００２４】
　走査駆動部１０は、タイミング制御部６０による制御を受けながら走査線Ｓ１〜Ｓｎに走査信号を順次供給する。すると、画素５０は走査信号によって選択されて順次データ信号の供給を受ける。
【００２５】
　発光制御駆動部２０は、タイミング制御部６０による制御を受けながら発光制御線Ｅ１〜Ｅｎに発光制御信号を順次供給する。すると、画素５０は発光制御信号によって発光が制御される。
【００２６】
　走査駆動部１０及び発光制御駆動部２０はチップ状に別途に実装される場合もあるが、画素部４０に含まれる駆動素子と共に表示パネル上に内蔵されるように形成されて内蔵回路部を構成することも可能である。
【００２７】
　一方、図１では走査駆動部１０及び発光制御駆動部２０が画素部４０を間に挟んで互いに対向して異なる側面に形成されるように示したが、これは単なる一例を示したものであって、本発明はこれに限定されるものではない。
【００２８】
　例えば、これらは画素部４０の同じ側面に共に形成されてもよいし、或いは画素部４０の両側に走査駆動部１０及び発光制御駆動部２０をそれぞれ形成することも可能であることはもちろんである。
【００２９】
　また、画素部４０に備えられた画素５０の構造によって発光制御駆動部２０を省略することも可能である。
【００３０】
　データ駆動部３０は、タイミング制御部６０による制御を受けながらデータ線Ｄ１〜Ｄｍにデータ信号を供給する。データ線Ｄ１〜Ｄｍに供給されたデータ信号は走査信号が供給される度に走査信号によって選択された画素５０に供給される。すると、画素５０はデータ信号に対応した電圧を充電する。
【００３１】
　画素部４０は、走査線Ｓ１〜Ｓｎ、発光制御線Ｅ１〜Ｅｎ及びデータ線Ｄ１〜Ｄｍの交差部に位置する多数の画素５０を含んでいる。このような画素部４０は、外部から高電位画素電源ＥＬＶＤＤ及び低電位画素電源ＥＬＶＳＳの供給を受け、高電位画素電源ＥＬＶＤＤ及び低電位画素電源ＥＬＶＳＳはそれぞれの画素５０に伝達される。すると、画素５０はデータ信号に対応する輝度で発光して映像を表示する。
【００３２】
　ここで、高電位画素電源ＥＬＶＤＤは画素５０の発光期間に有機発光ダイオード（図示せず）の第１電極（例えば、アノード電極）に伝達され、低電位画素電源ＥＬＶＳＳは有機発光ダイオードの第２電極（例えば、カソード電極）に伝達される。
【００３３】
　このとき、有機発光ダイオードの第１電極及び第２電極のうち、いずれか１つの電極は画素部４０上に全面的に形成されている。
【００３４】
　特に、有機発光ダイオードの第１電極が画素回路を経由して高電位画素電源ＥＬＶＤＤに連結され、第２電極は画素回路を経由することなく、直接（但し、バスラインなどの連結配線は考慮しないことにする）低電位画素電源ＥＬＶＳＳに連結されている場合、有機発光ダイオードの第２電極が画素部４０上に全面的に形成される。
【００３５】
　このような第２電極は、画素部４０の周辺に形成されたバスライン（図示せず）を介して低電位画素電源ＥＬＶＳＳの供給を受けることになる。
【００３６】
　そして、有機発光ダイオードの第１電極は、画素部４０内で画素アレイに対応するようにパターニングされる。
【００３７】
　タイミング制御部６０は、外部から供給される同期信号に対応して制御信号を生成し、これを走査駆動部１０、発光制御駆動部２０及びデータ駆動部３０に供給する。これにより、タイミング制御部６０は、走査駆動部１０、発光制御駆動部２０及びデータ駆動部３０を制御する。また、タイミング制御部６０は外部から供給されるデータをデータ駆動部３０に伝達する。すると、データ駆動部３０はデータに対応したデータ信号を生成する。
【００３８】
　図２は、本発明の実施形態に係る有機電界発光表示装置の構成を示す平面図である。
【００３９】
　図２を参照すれば、本発明の実施形態に係る有機電界発光表示装置は、表示パネル１００の中央部から外郭方向に順次配列される第１領域〜第４領域と、ＩＣ実装領域及びパッド領域とに区分される。
【００４０】
　第１領域は多数の画素が形成される画素部領域であって、表示パネル１００の中央部を中心に他の領域に比べて相対的に大きい割合を占めている。それぞれの画素は第１電極、第２電極及び有機発光層を含む有機発光ダイオードを備え、能動型有機電界発光表示装置である場合には、有機発光ダイオードと電気的に連結された薄膜トランジスタを含む画素回路を更に備えている。
【００４１】
　第２領域は、画素を駆動するための駆動回路が形成される内蔵回路部と、有機発光ダイオードの第２電極を低電位画素電源ＥＬＶＳＳのバスラインに連結する導電性パターンが前記第２電極と連結されるカソードコンタクト部とを含んでいる領域であり、第１領域の外郭に配置されている。
【００４２】
　ここで、第２領域に含まれる内蔵回路部とカソードコンタクト部は互いに重なるように配置され、これらの構造についての更に詳細な説明は後述する。
【００４３】
　一方、内蔵回路部は走査駆動部及び／又は発光制御駆動部などのように画素を駆動するための駆動回路が形成される領域であって、場合によっては、検査回路などを更に含むことが可能である。
【００４４】
　このような内蔵回路部は、第１領域の少なくとも一つの側に形成されるものであり、例えば、第１領域の左側又は右側、或いは互いに対向する左右両側に形成されてもよく、検査回路が含まれる場合などには左右両側と共に上側に配置されてもよい。
【００４５】
　また、カソードコンタクト部は有機発光ダイオードの第２電極を低電位画素電源ＥＬＶＳＳのバスラインに連結する導電性パターンが形成された領域であって、導電性パターンが第２電極と連結されるコンタクト領域を含んでいる。
【００４６】
　このようなカソードコンタクト部は、第１領域の少なくとも一つの側に形成されるものであり、例えば、第１領域を取り囲む形態で第１領域の上側及び下側と、左側及び右側の両方に配置される。
【００４７】
　第３領域は、第１領域の画素に低電位画素電源ＥＬＶＳＳを伝達するための低電位画素電源ＥＬＶＳＳのバスラインが形成されるバス部領域であって、第２領域の外郭に配置されている。例えば、第３領域は、第２領域の外郭を取り囲む形態で第２領域の上側及び下側と、左側及び右側の両方に配置される。
【００４８】
　第４領域は、少なくとも第１領域を含む領域を封止するためのシーリング剤が形成されるシーリング部領域であって、第３領域の外郭を取り囲む形態で配置される。シーリング剤は、第１基板（蒸着基板２００）及び第２基板（封止基板３００）を貼り合わせるためのものであって、第３領域に形成されたバスラインと少なくとも一部重なるように配置される。即ち、本実施形態においてシーリング部はバス部と少なくとも一部重なるように配置されている。
【００４９】
　ＩＣ実装領域は、データ駆動部などを含むＩＣチップを実装するための領域であって、第１基板２００の封止されていない一つの側（例えば、下側）に配置することができる。
【００５０】
　パッド領域は、外部からの駆動電源及び駆動信号の伝達を受けるための多数のパッドが形成される領域であって、ＩＣ実装領域と隣接した第１基板２００の一側縁部（例えば、下側縁部）に配置することができる。
【００５１】
　上述したような実施形態によれば、表示パネル１００内の限定された設計空間を効率的に活用してデッドスペースを減少させながらも、画素に供給される低電位画素電源ＥＬＶＳＳの電圧降下を防止できる。これについての更に詳細な説明は、図３を参照して後述する。
【００５２】
　図３は、本発明の実施形態に係る
有機電界発光表示装置
【００５３】
　図３を参照すれば、
第１基板２００上の領域は、画素部（第１領域）と、内蔵回路部及びカソードコンタクド部（第２領域）と、バス部（第３領域）と、シーリング部（第４領域）とに区分されている。
【００５４】
　
画素部は、第１基板２００上部のバッファ層２１０上に形成された薄膜トランジスタ２２０と、薄膜トランジスタ２２０上に形成された有機発光ダイオード２５０とを含んでいる。
【００５５】
　薄膜トランジスタ２２０は、バッファ層２１０上に形成された半導体層２２０ａと、ゲート絶縁膜２２２を間に挟んで半導体層２２０ａ上に形成されたゲート電極２２０ｂと、層間絶縁膜２２４を間に挟んでゲート電極２２０ｂ上に形成され、コンタクトホールを介して半導体層２２０ａに接続されるソース及びドレイン電極２２０ｃ、２２０ｄとを含んでいる。
【００５６】
　
薄膜トランジスタ２２０上には平坦化膜２４０が形成される。
【００５７】
　
平坦化膜２４０上の画素部には平坦化膜２４０に形成されたビアホールを通じて薄膜トランジスタ２２０と電気的に連結された有機発光ダイオード２５０が形成される。
【００５８】
　
有機発光ダイオード２５０は、平坦化膜２４０上に形成され、薄膜トランジスタ２２０のソース及びドレイン電極２２０ｃ、２２０ｄのうちのいずれか１つの電極と電気的に連結される第１電極２５０ａと、第１電極２５０ａ上に形成された有機発光層２５０ｂと、有機発光層２５０ｂ上に形成された第２電極２５０ｃとを含んでいる。
【００５９】
　ここで、
有機発光ダイオードの第１電極２５０ａは画素単位でパターニングされ、各画素の第１電極の間には画素定義膜２７０が形成される。画素定義膜２７０は、第１電極２５０ａの縁領域上部と重なるように形成され、画素の発光領域で第１電極２５０ａを露出するように形成される。
【００６０】
　有機発光層２５０ｂは、第１電極２５０ａの露出した領域を含んだ領域に形成される。
【００６１】
　そして、有機発光ダイオードの第２電極２５０ｃは画素単位でパターニングされず、画素部上に全面的に形成される。このような第２電極２５０ｃはカソードコンタクト部で導電性パターン２６０と連結され、導電性パターン２６０はバス部で低電位画素電源のバスライン２３０と連結されている。
【００６２】
　一方、便宜上、詳細な説明の全般にわたって有機発光ダイオードの第２電極２５０ｃがカソード電極であることを仮定して説明したが、本発明は必ずしもこれに限定されるものではない。例えば、薄膜トランジスタ２２０のタイプや画素回路などが変更される場合には、第２電極２５０ｃをアノード電極に変更実施することも可能である。
【００６３】
　
内蔵回路部は画素を駆動するための駆動回路が形成される領域であって、薄膜トランジスタ２２０’などの回路素子を含んでいる。
内蔵回路部に形成された薄膜トランジスタ２２０’は構造上、画素部に形成された薄膜トランジスタ２２０と同一であるので（但し、他の構成要素との連結関係は考慮しないことにする）、これについての詳細な説明は省略する。
【００６４】
　
内蔵回路部上には導電性パターン２６０を含むカソードコンタクト部が形成される。
【００６５】
　
導電性パターン２６０は、
有機発光ダイオードの第１電極２５０ａと同じ物質で同じレイヤに形成することができる。例えば、導電性パターン２６０は平坦化膜２４０上にアノード電極物質で形成することができる。
【００６６】
　このようなカソードコンタクト部は、導電性パターン２６０と有機発光ダイオードの第２電極２５０ｃがコンタクトされて連結されるコンタクト領域を含んでいる。
【００６７】
　即ち、
有機発光ダイオードの第２電極２５０ｃは、内蔵回路部上のカソードコンタクト部で導電性パターン２６０と連結される。このために導電性パターン２６０の一領域上部はコンタクト領域で画素定義膜２７０が除去されて露出している。
【００６８】
　バス部は、導電性パターン２６０を経由して有機発光ダイオードの第２電極２５０ｃと連結されるバスライン２３０を含んでいる。即ち、本実施形態においてバスライン２３０は有機発光ダイオードの第２電極２５０ｃに低電位画素電源ＥＬＶＳＳを伝達するための低電位画素電源のバスラインとして設定することができる。このようなバスライン２３０は、バス部上で導電性パターン２６０とコンタクトして連結される。
【００６９】
　バスライン２３０は、薄膜トランジスタ２２０、２２０’のゲート電極、ソース及びドレイン電極のうちの１つ以上の電極と同じ物質で同じレイヤに形成することができる。
【００７０】
　例えば、バスライン２３０は、図３に示すように、薄膜トランジスタ２２０、２２０’のソース及びドレイン電極と同じ物質で同じレイヤに形成することができる。
【００７１】
　しかしながら、本発明はこれに限定されるものではなく、バスライン２３０は薄膜トランジスタ２２０、２２０’のゲート電極と同じ物質で同じレイヤに形成されるか、或いは互いに異なるレイヤに位置する少なくとも２つの配線が連結される構造で形成することも可能である。
【００７２】
　シーリング部は、図２の第１及び第２基板２００、３００を貼り合わせるためのシーリング剤２８０が形成される領域であって、バス部の外郭に配置される。
【００７３】
　但し、本発明においてシーリング部はバス部と少なくとも一部重なるように配置することができる。即ち、シーリング剤２８０はバスライン２３０の少なくとも一領域の上部に位置することができる。そして、シーリング剤２８０とバスライン２３０との間には第１平坦化膜２４０ａなどのような絶縁膜を介在させることができる。
【００７４】
　前述したような本発明によれば、中央部から外郭への方向に画素部、内蔵回路部及びカソードコンタクト部、バス部、シーリング部が順次配置されることによって、低電位画素電源のバスライン２３０の幅を縮小させることなく、デッドスペースを減少させることができる。
【００７５】
　更に具体的に説明すると、バス部が画素部と内蔵回路部との間に配置される比較例と比較する時、比較例の場合にはデッドスペースを減少させるためにバス部及び／又は内蔵回路部の領域を縮小することが避けられないが、本発明の場合にはバス部が内蔵回路部の外郭に配置されているので、バス部とシーリング部を少なくとも一部重複させることができるようになる。
【００７６】
　内蔵回路部はシーリング工程で発生する熱及び静電気ＥＳＤに弱いため、内蔵回路部がシーリング部と隣接するように配置されると、シーリング剤２８０と重ねることができず、設計空間の活用に制約が生じてしまう。さらに、内蔵回路部が表示パネルの外郭に近接して配置されるので、静電気によって損傷し易いという問題点もある。内蔵回路部の損傷は有機電界発光表示装置の不良をもたらすことになる。
【００７７】
　しかしながら、本発明のような配列構造にすれば、内蔵回路部がバス部の内側に位置するので、静電気による内蔵回路部の損傷が更に防止できることはもちろん、バスライン２３０をシーリング剤２８０と一部重複させても駆動不良が発生しないため、デッドスペースを減少させながらもバスライン２３０の幅を十分に確保できる。これにより、バスライン２３０を介して伝達される低電位画素電源ＥＬＶＳＳの電圧降下を防止できる。
【００７８】
　更に、内蔵回路部とバス部が重ならないため、内蔵回路部の薄膜トランジスタ２２０’を構成するゲート電極２２０ａ’、ソース及びドレイン電極２２０ｃ’、２２０ｄ’などの電極物質を用いて断層、或いは多層でバスライン２３０を自由に設計できる。これにより、バスライン２３０の低抵抗設計が可能になるので、低電位画素電源ＥＬＶＳＳの電圧降下を更に効果的に防止できる。
【００７９】
　以上説明したように、本発明の最も好ましい実施形態について説明したが、本発明は、上記記載に限定されるものではなく、特許請求の範囲に記載され、又は明細書に開示された発明の要旨に基づき、当業者において様々な変形や変更が可能なことはもちろんであり、斯かる変形や変更が、本発明の範囲に含まれることは言うまでもない。」
イ　「【図１】
【図２】
【図３】
　　　　　　　　　　　　　　　　　　　　　」
ウ　上記記載事項イの【図２】から、「第２領域」、「第３領域」及び「第４領域」が「第１領域」を囲むように配置されている構成を読み取ることができる。
エ　上記記載事項アの段落【００５６】の「薄膜トランジスタ２２０上には平坦化膜２４０が形成される。」、段落【００６３】の「内蔵回路部に形成された薄膜トランジスタ２２０’は構造上、画素部に形成された薄膜トランジスタ２２０と同一であるので（但し、他の構成要素との連結関係は考慮しないことにする）、これについての詳細な説明は省略する。」及び上記記載事項イの【図３】の記載から、薄膜トランジスタ２２０及び薄膜トランジスタ２２０’上に平坦化膜２４０が形成される構成を読み取ることができる。
オ　上記記載事項アの段落【００５９】の「有機発光ダイオードの第１電極２５０ａは画素単位でパターニングされ、各画素の第１電極の間には画素定義膜２７０が形成される。画素定義膜２７０は、第１電極２５０ａの縁領域上部と重なるように形成され、画素の発光領域で第１電極２５０ａを露出するように形成される。」、段落【００６７】の「有機発光ダイオードの第２電極２５０ｃは、内蔵回路部上のカソードコンタクト部で導電性パターン２６０と連結される。このために導電性パターン２６０の一領域上部はコンタクト領域で画素定義膜２７０が除去されて露出している。」及び【図３】の記載から、「第１電極２５０ａ」と「導電性パターン２６０」の上に「画素定義膜２７０」が形成され、画素定義膜２７０は、画素の発光領域で第１電極２５０ａを露出するように形成される構成を読み取ることができる。
　すると、引用文献１には、以下の発明（以下「引用発明」という。）が記載されている。
「第１基板２００上の領域が、画素部（第１領域）と、内蔵回路部及びカソードコンタクド部（第２領域）と、バス部（第３領域）と、シーリング部（第４領域）とに区分されている有機電界発光表示装置であって、
　第２領域、第３領域及び第４領域が第１領域を囲むように配置されており、
　画素部は、第１基板２００上部のバッファ層２１０上に形成された薄膜トランジスタ２２０と、薄膜トランジスタ２２０上に形成された有機発光ダイオード２５０とを含んでおり、
　内蔵回路部は画素を駆動するための駆動回路が形成される領域であって、薄膜トランジスタ２２０’などの回路素子を含んでおり、
　薄膜トランジスタ２２０及び薄膜トランジスタ２２０’上に平坦化膜２４０が形成され、
　平坦化膜２４０上の画素部には平坦化膜２４０に形成されたビアホールを通じて薄膜トランジスタ２２０と電気的に連結された有機発光ダイオード２５０が形成され、
　有機発光ダイオード２５０は、平坦化膜２４０上に形成され、薄膜トランジスタ２２０のソース及びドレイン電極２２０ｃ、２２０ｄのうちのいずれか１つの電極と電気的に連結される第１電極２５０ａと、第１電極２５０ａ上に形成された有機発光層２５０ｂと、有機発光層２５０ｂ上に形成された第２電極２５０ｃとを含んでおり、
　内蔵回路部上には導電性パターン２６０を含むカソードコンタクト部が形成され、
　導電性パターン２６０は、平坦化膜２４０上に第１電極２５０ａと同じ物質であるアノード電極物質で形成され、
　第１電極２５０ａと導電性パターン２６０の上に画素定義膜２７０が形成され、画素定義膜２７０は、画素の発光領域で第１電極２５０ａを露出するように形成されている有機電界発光表示装置。」
（２）原査定の拒絶の理由に引用され、本願の優先日前に頒布された刊行物である、国際公開第２０１１／０４５９１１号（以下「引用文献２」という。）には、以下の事項が記載されている。（下線は当審で付した。）
ア　「技術分野
[0001]　本発明は、表示パネル装置及びその製造方法に関し、特に、有機発光材料を用いた有機ＥＬ（エレクトロルミネッセンス）表示パネル装置に関する。
背景技術
[0002]　有機ＥＬ表示装置は、有機化合物の電界発光現象を利用した発光表示装置であり、携帯電話機などに用いられる小型の表示装置として実用化されている。
[0003]　有機ＥＬ表示装置は、画素ごとに独立に発光制御可能な複数の有機ＥＬ素子を基板上に配置して構成される。典型的な有機ＥＬ表示装置は、基板上に、駆動回路、陽極、有機層、陰極を積層することで作製される。有機層には、有機化合物からなる有機ＥＬ層とともに、正孔注入層、電子輸送層などの複数の機能層のうちの１つ以上が積層される。このような構成において、陽極および陰極から正孔輸送層などを介して有機ＥＬ層へ電荷が注入され、注入された電荷が有機ＥＬ層内で再結合することによって、発光が生じる。
[0004]　有機ＥＬ表示装置において優れた表示品位を得るために、各画素の有機ＥＬ素子に十分な動作電流が供給されることが重要である。動作電流の供給不足は、輝度の低下、輝度むら、およびコントラストの低下を引き起こし、表示品位を損なう１つの原因となるからである。
[0005]　従来、優れた表示品位を指向して、有機ＥＬ表示装置における各画素の有機ＥＬ素子に十分な動作電流を供給するための構成が提案されている（例えば、特許文献１）。
[0006]　特許文献１に開示されている発光装置は、発光素子を備えた複数の画素が設けられた有効領域（本明細書では、表示部）の外側に、陰極に接続される陰極用配線が、前記有効領域を囲むように設けられ、前記陰極用配線と前記有効領域との間に画素電極に接続される電源線が設けられている。
[0007]　このように構成された発光装置によれば、前記陰極用配線と前記陰極との接触面積を十分に確保し、両者の間の電気抵抗を最小限に抑えることができるので、この電気抵抗に起因する電圧降下によって、発光素子に供給される電流の量が低下するのを防ぐことができる。
先行技術文献
特許文献
[0008]　特許文献1：特開２００５−２４２３８３号公報
特許文献2：特開２００５−３３８７８９号公報
発明の概要
発明が解決しようとする課題
[0009]　上記従来技術の発光装置における前記陰極用配線の面積は、有機ＥＬ素子に十分な動作電流を供給する観点から、大きいほど好ましいと言える。しかしながら、表示部を囲む広い領域に前記陰極用配線を設置した場合、上記従来技術では以下のような問題が懸念される。
[0010]　即ち、表示装置の製造過程では、一般的に平坦化膜形成後に画素ごとに分離された下部電極をフォトエッチングプロセスにより形成し、その後有機層が積層される。この平坦化膜形成時及び下部電極形成時に、洗浄水や現像液、及び酸などの薬液が用いられることにより、水分や酸などの成分が平坦化膜中に吸収される。そのため、
水分や酸などの成分が吸収された状態の平坦化膜を、例えば、陰極用配線として用いる電極板で覆うと、平坦化膜内に水分や酸などの成分が吸収された状態で密閉される。
[0011]　
その状態で、平坦化膜の上方に有機層が積層すると、平坦化膜に含まれた水分や酸などの成分がアウトガスとなって有機層に漏れ出すことがある。その結果、有機層がアウトガスと反応して有機層の品質が劣化し、画素シュリンクが発生するという問題がある。
[0012]　また、平坦化膜内にアウトガスが密閉されることにより、そのガス圧力によって電極板が剥がれ、表示部の周辺部でアウトガスが有機層に漏れ出してしまう。その結果、表示部の周辺部に位置する有機層がアウトガスと反応し、周辺部が白色化するという問題がある。
[0013]　特許文献１には、陰極用配線として用いる電極板を設置し、表示部を囲む広い領域において平坦化膜を覆った場合に懸念されるこのような問題を克服するための有効な解決策は示されていない。
[0014]　なお、補助導電層（陰極用配線）に貫通部を形成し、絶縁層（平坦化膜）から発生したガスを前記貫通部から排出し、前記ガスの排出経路を短縮する技術がある（例えば、特許文献２）。
[0015]　しかし、かかる従来技術では、円滑にガス排出をするために貫通部を多数の点又は直線で形成する構成を開示するに止まり、前記貫通部が前記補助導電層内での駆動電流の流れを妨げになる点については考慮されていない。
[0016]　そのため、単に前記補助導電層内に前記貫通部を形成しただけでは、前記貫通部自体が駆動電流の流れの抵抗となるという問題がある。
[0017]　そこで、
本発明は、上記課題に鑑みてなされたものであり、有機ＥＬ素子の動作電流を供給するための配線としての電極板を有する表示パネル装置であって、電極板を平坦化膜上の広い領域に設置した場合でも平坦化膜を密閉しにくい構造の表示パネル装置、およびその製造方法を提供することを目的とする。
課題を解決するための手段
[0018]　上述した課題を解決するために、本発明に係る表示パネル装置の１つの態様は、基板と、前記基板上に形成される平坦化膜と、前記平坦化膜上に形成され、下部電極、有機層、及び上部電極を含む画素部と、前記下部電極と電気的に絶縁され前記上部電極と電気的に接続された補助電極と、前記画素部を複数含む表示部と、前記補助電極と電気的に接続され前記表示部外において前記平坦化膜を覆う電極板と、を具備し、前記電極板は、前記平坦化膜の表面の一部を開放する孔部と、前記電極板を介して電流を受ける給電部とを有し、前記孔部は、前記孔部と近接する前記表示部の辺と平行する方向が長い矩形形状に開口し、前記孔部は、前記補助電極と前記電極板との接続部と、前記給電部との間の電流の流れに沿って開口している。
発明の効果
[0019]　本発明に係る表示パネル装置は、電極板が平坦化膜の表面の一部を開放する孔部を有しているので、電極板の下部に配置される平坦化膜に含まれる水分や酸などの成分を、表示パネル装置の製造過程（特に、ベークやアニールといった熱処理を伴う工程）において、電極板の孔部を介してアウトガスとしてあらかじめ排出しておくことができる。
[0020]　その結果、電極板によって平坦化膜にアウトガスが密閉されることで生じる不具合を、電極板に孔部を設けない場合と比べて減らすことができる。
・・中略・・
発明を実施するための形態
[0022]　本発明の一態様である表示パネル装置は、基板と、前記基板上に形成される平坦化膜と、前記平坦化膜上に形成され、下部電極、有機層、及び上部電極を含む画素部と、前記下部電極と電気的に絶縁され前記上部電極と電気的に接続された補助電極と、前記画素部を複数含む表示部と、前記補助電極と電気的に接続され前記表示部外において前記平坦化膜を覆う電極板と、前記電極板と電気的に接続された給電部と、を具備し、前記電極板は、前記平坦化膜の表面の一部を開放する孔部を有し、前記孔部は、前記孔部と近接する前記表示部の辺と平行する方向が長い矩形形状に開口し、前記孔部は、前記補助電極と前記電極板との接続部と、前記給電部との間の電流の流れに沿って開口している。
[0023]　本態様によると、前記平坦化膜を覆う電極板に、前記平坦化膜の表面の一部を開放する孔部を設けている。これにより、前記平坦化膜内に水分や酸などの成分が吸収された状態の平坦化膜を電極板で覆ったとしても、前記平坦化膜に含まれるアウトガスは前記孔部を介して排出される。
[0024]　そのため、その状態で、前記平坦化膜上に前記画素部が積層すれば、その後に、前記平坦化膜に含まれた水分や酸などの成分がアウトガスとなって前記有機層に漏れ出して、前記有機層が前記アウトガスと反応して前記有機層の品質を劣化するのを防止できる。その結果、前記画素シュリンクが発生するのを防止できる。
[0025]　また、前記平坦化膜内に密封された水分や酸などの成分を排出させるので、前記成分がアウトガスとなって、そのガス圧力により前記電極板が剥がれるのを防止できる。そのため、前記アウトガスが前記表示部の周辺部の有機層に漏れ出して、前記有機層が前記アウトガスと反応して前記周辺部が白色化するのを防止できる。
[0026]　また、前記孔部を、前記孔部と近接する前記表示部の辺と平行する方向が長い矩形形状に開口させている。そして、前記孔部を、前記補助電極と前記電極板との接続部と、前記給電部との間の電流の流れに沿って開口させている。これにより、前記孔部の開口の矩形形状は、電流の流れる方向に近似するので、前記孔部の開口が電流の流れの抵抗になるのを抑制し、抵抗値の変化を抑えることができる。」
イ　「[0078]　以下、本発明の実施の形態に係る表示パネル装置について、図面を参照しながら詳細に説明する。
[0079]　
実施の形態の説明では、１つの典型例として、アクティブマトリクス型の有機ＥＬ表示パネル装置の例を用いる
[0080]　（表示パネル装置の概要）
図１は、本発明の実施の形態に係る表示パネル装置１の構造の一例を示す平面図である。なお、図１は説明のための模式図であり、各部の大きさの比は不同に描かれている。また、以下で大まかに言及されている表示パネル装置１の積層構造については、図４〜７を参照して、後ほど改めて詳細に説明する。
[0081]　
表示パネル装置１は、図１に示されるように、基板１０上にＴＦＴ層２０および平坦化膜３０をこの順に積層してなる構造体の上に、独立に発光制御可能な複数の画素部５１を配置した表示部５２を形成し、封止膜４０、樹脂層６０、およびガラス基板７０にて全面を封止して構成される。
[0082]　
表示部５２には、画素部５１ごとに分離された下部電極３１と、一面に設けられた上部電極３９とで、電界発光機能を有する有機層を挟んでなる有機ＥＬ素子が形成されている。
[0083]　
補助電極３２および電極板３３は、画素部５１の有機ＥＬ素子に動作電流を流す配線であり、上部電極３９は、表示部５２内で補助電極３２と接続され、表示部５２外で電極板３３と接続されている。補助電極３２は電極板３３と接続され、電極板３３は給電部２８と接続されている。下部電極３１は、ＴＦＴ層２０に設けられた駆動素子と接続されている。
[0084]　それぞれの画素部５１において、駆動素子から下部電極３１を介して供給され、上部電極３９から電極板３３を介して給電部２８へ流れる動作電流によって、有機層が発光する。
[0085]　
電極板３３は、表示部５２外で平坦化膜３０を覆うように形成され、平坦化膜３０からのアウトガスを排出する複数の孔部５０を有している。
[0086]　このように構成された表示パネル装置１では、上部電極３９と接続する電極板３３を表示部５２外の広い領域に設けることにより、画素部５１から給電部２８までの電気抵抗を低く抑えることができ、かつ電極板３３に孔部５０を設けたので、平坦化膜３０にアウトガスが密閉されにくくなる。
[0087]　その結果、動作電流の供給不足から生じる輝度の低下、輝度むら、およびコントラストの低下が軽減されて表示品位が高まり、かつ平坦化膜３０にアウトガスが密閉されることで生じる不具合が低減される。
[0088]　図２は、図１に示される表示パネル装置１の右下隅付近の構造を詳細に示す拡大平面図である。
[0089]　図２に示されるように、電極板３３の辺部に設けられる給電部２８は、一例として、頂点を表示部５２に向けた三角形をしており、また、電極板３３の角部に設けられる給電部２８は、一例として、平行な一対の辺のうちのより短い一方である上辺を表示部５２に向けた台形をしている。給電部２８は、例えば導電膜であり、図２に示される三角形および台形の領域において電極板３３と接続され、さらに図外へ延設されていてもよい。すなわち、本明細書において給電部の形状とは、電極板３３と給電部２８とが接続される領域の形状として定義される。
[0090]　隔壁３６は、例えば、図面の縦方向に沿って設けられる。補助電極３２は、下部電極３１が形成されていない領域に、隔壁３６と平行する方向に沿って設けられ、有機ＥＬ層３７は、隣接する隔壁３６で仕切られた帯状の領域に配置される。
[0091]　図２に示す構成において、隔壁３６で仕切られた帯状の領域ごとに、赤、青、緑で発光する有機ＥＬ層３７を設けることにより、カラー表示パネル装置を構成できる。この場合、各画素部５１はサブ画素に対応し、それぞれ赤、青、緑で発光する３つの隣接する画素部５１により１つの画素が構成される。なお、後述するように、隔壁３６で仕切られた帯状の領域内における隣接する下部電極３１間に絶縁性の材料からなる画素規制層を設けて、隣接する画素部５１を区画してもよい。
[0092]　電極板３３には、電極板３３内に流れる各画素部５１の動作電流の向きに沿うように、表示部５２の近接する辺と平行する方向が長い矩形の孔部５０が設けられる。理解のため、下部電極３１、補助電極３２、および電極板３３が設置される範囲を右下がりのハッチングで示し、隔壁３６が設置される範囲を右上がりのハッチングで示している。
[0093]　下部電極３１と補助電極３２とは所定の間隔を空けて設けられ、孔部５０は、下部電極３１と補助電極３２との間に設けられる間隔に対応する幅で開口している。孔部５０の幅は、例えば、下部電極３１と補助電極３２との間に設けられる間隔と同じであってもよい。
[0094]　図３に示されるように、電極板３３の辺部に設けられる給電部２８は、上辺を表示部５２に向けた台形をしていてもよい。
[0095]　（表示パネル装置の詳細な構造）
以下、図４〜図７を用いて、表示パネル装置１の詳細な構造について説明する。
[0096]　なお、図４〜図７は説明のための模式図であり、膜厚、各部の大きさの比、繰り返し配置される要素の個数などは、必ずしも厳密ではない。また、図４〜図７に示される表示パネル装置１の構成は代表例であり、表示パネル装置１を限定するものではない。以下では、図１で説明した構成要素には同一の符号を付して、適宜説明を省略する。
[0097]　図４は、図２に示されるＡＡ’線に沿った表示パネル装置１の切断面を示す断面図である。図４に示されるように、図２のＡＡ’線の断面において、基板１０の上面には、後述するＴＦＴ層２０の上面を平坦化する平坦化膜３０、画素部５１ごとに分離され陽極として用いられる下部電極３１、下部電極３１とは電気的に分離された補助電極３２、補助電極３２と電気的に接続されている電極板３３、正孔輸送性を持つ有機材料または無機材料からなる正孔注入層３４、感光性樹脂からなる隔壁３６、電界発光機能を有する有機材料からなる有機ＥＬ層３７、電子輸送性を持つ有機材料からなる電子輸送層３８、導電性の材料からなり陰極として用いられる上部電極３９、絶縁性の材料からなる封止膜４０が設けられる。
[0098]　なお、下部電極３１とは電気的に分離された補助電極３２とは、下部電極３１と補助電極３２とが、１つの導電膜をパターニングすることによって、同一層において電気的に分離して形成されていることを意味する。
[0099]　封止膜４０の上方にはシール部材６１を介してガラス基板７０が設けられ、封止膜４０とガラス基板との間には樹脂層６０が充填される。
[0100]　電極板３３は、表示部５２外で平坦化膜３０を覆うように形成され、平坦化膜３０の表面の一部を開放する複数の孔部５０を有している。電極板３３は、表示部５２外に設けられ、平坦化膜３０が設置されていない領域において、給電部２８と電気的に接続されている。また、電極板３３は、表示部５２外で隔壁３６が設置されていない領域において、上部電極３９と電気的に接続されている。
[0101]　前述したように、孔部５０は、下部電極３１と補助電極３２との間に設けられる間隔に対応する幅（例えば、当該間隔と同じ幅）で開口している。これにより、表示パネル装置１の製造工程において、表示部５２内と表示部５２外とで同程度に、平坦化膜３０に含まれるアウトガスは孔部５０を介して排出できる。そのため、表示部５２以外の領域で平坦化膜３０内に水分や酸などの成分が過度に密閉されるのを防止できる。
[0102]　図５は、図２に示されるＤＤ’線に沿った表示パネル装置１の切断面を示す断面図である。図５に示されように、図２のＤＤ’線の断面において、
基板１０の上面には、ゲート絶縁膜２２およびソース・ドレイン電極２４を含む薄膜トランジスタである駆動素子２５
が設けられる。
[0103]　画素部５１とＴＦＴ層２０との間には、ＴＦＴ層２０の上面を平坦化する平坦化膜３０が設けられる。
[0104]　
下部電極３１は、平坦化膜３０および層間絶縁膜２６を貫通して設けられるコンタクトホールを通して、駆動素子２５のソース・ドレイン電極２４と電気的に接続されている。
[0105]　電極板３３は、表示部５２外で平坦化膜３０を覆うように形成され、平坦化膜３０の表面の一部を開放する複数の孔部５０を有している。電極板３３は、表示部５２外に設けられ、平坦化膜３０が設置されていない領域において、給電部２８と電気的に接続されている。また、電極板３３は、表示部５２外で隔壁３６が設置されていない領域において、上部電極３９と電気的に接続されている。
[0106]　なお、下部電極３１と正孔注入層３４との間に、画素規制層３５を設けてもよい。画素規制層３５は、絶縁性の材料からなり、下部電極３１の非所望の部分を覆うことにより、発光領域を規制する。例えば、コンタクトホールの内部および近傍の下部電極３１を画素規制層３５で覆うことで、有機ＥＬ層３７の膜厚が制御しにくく発光が不安定になり易いコンタクトホール部分での発光を禁止することができる。また、図２および図３に示される隔壁３６で仕切られた帯状の領域内における隣接する下部電極３１間を画素規制層３５で覆うことで、隣接する画素部５１を区画することができる。
[0107]　図６は、図２に示されるＢＢ’線に沿った表示パネル装置１の切断面を示す断面図である。図６に示されるように、図２のＢＢ’線の断面において、画素部５１の端部の断面には、下部電極３１および電極板３３の孔部５０は現れない。
[0108]　図７は、図２に示されるＣＣ’線に沿った表示パネル装置１の切断面を示す断面図である。図７に示されるように、図２のＣＣ’線の断面において、表示部５２外の断面には、下部電極３１、補助電極３２、正孔注入層３４、有機ＥＬ層３７、電子輸送層３８は現れない。
[0109]　本態様によると、
平坦化膜３０を覆う電極板３３に、平坦化膜３０の表面の一部を開放する孔部５０を設けている。これにより、平坦化膜３０内に水分や酸などの成分が吸収された状態の平坦化膜３０を電極板３３で覆ったとしても、平坦化膜３０に含まれるアウトガスは孔部５０を介して排出される。
[0110]　そのため、アウトガスが排出された状態で、平坦化膜３０上に画素部５１を積層すれば、その後さらに、平坦化膜３０に含まれた水分や酸などの成分がアウトガスとなって有機層（有機材料からなる正孔注入層３４、有機ＥＬ層３７、および電子輸送層３８の積層構造体を言う。なお、正孔注入層３４については、無機材料にて構成してもよい。）に漏れ出して、前記有機層が前記アウトガスと反応して前記有機層の品質を劣化するのを防止できる。その結果、前記画素シュリンクが発生するのを防止できる。
[0111]　また、
平坦化膜３０内に密封された水分や酸などの成分を排出させるので、前記成分がアウトガスとなって、そのガス圧力により電極板３３が剥がれるのを防止できる。そのため、前記アウトガスが表示部５２の周辺部の前記有機層に漏れ出して、前記有機層が前記アウトガスと反応して前記周辺部が白色化するのを防止できる。
ウ　「［図１］
［図２］
［図３］
［図４］
［図５］
［図６］
［図７］
　　　　　　　　　　　　　　　　　　　　　」
エ　上記記載事項イの
「[0090]　隔壁３６は、例えば、図面の縦方向に沿って設けられる。補助電極３２は、下部電極３１が形成されていない領域に、隔壁３６と平行する方向に沿って設けられ、有機ＥＬ層３７は、隣接する隔壁３６で仕切られた帯状の領域に配置される。
[0091]　図２に示す構成において、隔壁３６で仕切られた帯状の領域ごとに、赤、青、緑で発光する有機ＥＬ層３７を設けることにより、カラー表示パネル装置を構成できる。この場合、各画素部５１はサブ画素に対応し、それぞれ赤、青、緑で発光する３つの隣接する画素部５１により１つの画素が構成される。なお、後述するように、隔壁３６で仕切られた帯状の領域内における隣接する下部電極３１間に絶縁性の材料からなる画素規制層を設けて、隣接する画素部５１を区画してもよい。」という記載及び［図１］〜［図７］の記載から、「隔壁３６」は、「下部電極３１」、「補助電極３２」及び「電極板３３」の上に形成され、「下部電極３１」を露出させるように構成され、「孔部５０」が「隔壁３６」の下に配置されている構成を読み取ることができる。
　すると、引用文献２には、以下の技術事項（以下「引用文献２の技術事項」という。）が記載されている。
「水分や酸などの成分が吸収された状態の平坦化膜を、例えば、陰極用配線として用いる電極板で覆うと、平坦化膜内に水分や酸などの成分が吸収された状態で密閉され、その状態で、平坦化膜の上方に有機層が積層すると、平坦化膜に含まれた水分や酸などの成分がアウトガスとなって有機層に漏れ出し、有機層がアウトガスと反応して有機層の品質が劣化し、画素シュリンクが発生したり、また、平坦化膜内にアウトガスが密閉されることにより、そのガス圧力によって電極板が剥がれ、表示部の周辺部でアウトガスが有機層に漏れ出してしまい、表示部の周辺部に位置する有機層がアウトガスと反応し、周辺部が白色化するという問題がある。
　この問題に対して、有機ＥＬ素子の動作電流を供給するための配線としての電極板を有する表示パネル装置であって、電極板を平坦化膜上の広い領域に設置した場合でも平坦化膜を密閉しにくい構造の表示パネル装置、およびその製造方法を提供することを目的として、下記のような表示パネル装置の構成とした。
　基板１０上にＴＦＴ層２０および平坦化膜３０をこの順に積層してなる構造体の上に、独立に発光制御可能な複数の画素部５１を配置した表示部５２が形成された有機ＥＬ表示パネル装置１であって、
　表示部５２には、画素部５１ごとに分離された下部電極３１と、一面に設けられた上部電極３９とで、電界発光機能を有する有機層を挟んでなる有機ＥＬ素子が形成されていて、
　下部電極３１が、ＴＦＴ層２０に設けられたゲート絶縁膜２２およびソース・ドレイン電極２４を含む薄膜トランジスタである駆動素子２５のソース・ドレイン電極２４と電気的に接続されていて、
　補助電極３２および電極板３３は、画素部５１の有機ＥＬ素子に動作電流を流す配線であり、上部電極３９は、表示部５２内で補助電極３２と接続され、表示部５２外で電極板３３と接続されていて、補助電極３２は電極板３３と接続され、電極板３３は給電部２８と接続されていて、
　電極板３３は、表示部５２外で平坦化膜３０を覆うように形成され、平坦化膜３０からアウトガスを排出する複数の孔部５０を有しており、
　隔壁３６が、下部電極３１、補助電極３２及び電極板３３の上に形成され、下部電極３１を露出させるように構成され、孔部５０が隔壁３６の下に配置されている有機ＥＬ表示パネル装置１。
　このように構成された有機ＥＬ表示パネル装置１においては、平坦化膜３０を覆う電極板３３に、平坦化膜３０の表面の一部を開放する孔部５０を設けることにより、平坦化膜３０内に水分や酸などの成分が吸収された状態の平坦化膜３０を電極板３３で覆ったとしても、平坦化膜３０に含まれるアウトガスは孔部５０を介して排出されるので、前記成分がアウトガスとなって、そのガス圧力により電極板３３が剥がれるのを防止できる。そのため、前記アウトガスが表示部５２の周辺部の前記有機層に漏れ出して、前記有機層が前記アウトガスと反応して前記周辺部が白色化するのを防止できるという効果を奏し得る。」
（３）本願発明と引用発明との対比
ア　引用発明の「第１基板２００」、「画素部（第１領域）」、「画素」、「内蔵回路部及びカソードコンタクド部（第２領域）と、バス部（第３領域）と、シーリング部（第４領域）」、「薄膜トランジスタ２２０」、「薄膜トランジスタ２２０’」、「平坦化膜２４０」、「導電性パターン２６０」、「薄膜トランジスタ２２０のソース及びドレイン電極２２０ｃ、２２０ｄのうちのいずれか１つの電極」、「第１電極２５０ａ」、「画素定義膜２７０」、「有機発光層２５０ｂ」、「第２電極２５０ｃ」及び「有機電界発光表示装置」が、それぞれ、本願発明の「基板」、「表示領域」、「ピクセル」、「非表示領域」、「第２薄膜トランジスタ」、「第１薄膜トランジスタ」、「平坦化膜」、「第１電極」、「第２薄膜トランジスタの電極」、「第２電極」、「バンクパターン」、「有機発光層」、「第３電極」及び「有機発光ダイオード表示装置」に相当する。
イ　上記「ア」から、引用発明の
「第１基板２００上の領域が、画素部（第１領域）と、内蔵回路部及びカソードコンタクド部（第２領域）と、バス部（第３領域）と、シーリング部（第４領域）とに区分されている有機電界発光表示装置であって、
　第２領域、第３領域及び第４領域が第１領域を囲むように配置されており、
　画素部は、第１基板２００上部のバッファ層２１０上に形成された薄膜トランジスタ２２０と、薄膜トランジスタ２２０上に形成された有機発光ダイオード２５０とを含んでおり、
　内蔵回路部は画素を駆動するための駆動回路が形成される領域であって、薄膜トランジスタ２２０’などの回路素子を含んでおり、
　薄膜トランジスタ２２０及び薄膜トランジスタ２２０’上に平坦化膜２４０が形成され、
　平坦化膜２４０上の画素部には平坦化膜２４０に形成されたビアホールを通じて薄膜トランジスタ２２０と電気的に連結された有機発光ダイオード２５０が形成され、
　有機発光ダイオード２５０は、平坦化膜２４０上に形成され、薄膜トランジスタ２２０のソース及びドレイン電極２２０ｃ、２２０ｄのうちのいずれか１つの電極と電気的に連結される第１電極２５０ａと、第１電極２５０ａ上に形成された有機発光層２５０ｂと、有機発光層２５０ｂ上に形成された第２電極２５０ｃとを含んでおり、
　第１電極２５０ａと導電性パターン２６０の上に画素定義膜２７０が形成され、画素定義膜２７０は、画素の発光領域で第１電極２５０ａを露出するように形成されている有機電界発光表示装置。」は、
　本願発明の
「基板上に定義され、映像を表示するように構成された表示領域と、
　前記表示領域を囲むように定義され、前記表示領域に含まれたピクセルに信号を提供するように構成された非表示領域と、
　前記基板の非表示領域に形成された第１薄膜トランジスタと、
　前記基板の表示領域に形成された第２薄膜トランジスタと、
　前記第１および第２薄膜トランジスタの上部に形成された平坦化膜と、」
「前記平坦化膜上に形成され、前記第２薄膜トランジスタの電極に連結される第２電極と、
　前記第２電極と第１電極の上に形成され、前記第２電極の一部を露出させるように構成され、第１電極に隣接するように配置されたバンクパターンと、
　前記第２電極上に形成された有機発光層と、
　前記有機発光層上に形成された第３電極と、を含」む「有機発光ダイオード表示装置。」に相当する。
ウ　引用発明の「内蔵回路部上には導電性パターン２６０を含むカソードコンタクト部が形成され、導電性パターン２６０は、平坦化膜２４０上に第１電極２５０ａと同じ物質であるアノード電極物質で形成され」ることと、本願発明の「前記非表示領域内の前記平坦化膜上に形成され、少なくとも１つの第１開口を含む第１電極と、」「を含」むことは、「前記非表示領域内の前記平坦化膜上に形成された第１電極と、」「を含」むことで一致する。
（４）一致点
　してみると、両者は、
「基板上に定義され、映像を表示するように構成された表示領域と、
　前記表示領域を囲むように定義され、前記表示領域に含まれたピクセルに信号を提供するように構成された非表示領域と、
　前記基板の非表示領域に形成された第１薄膜トランジスタと、
　前記基板の表示領域に形成された第２薄膜トランジスタと、
　前記第１および第２薄膜トランジスタの上部に形成された平坦化膜と、
　前記非表示領域内の前記平坦化膜上に形成された第１電極と、
　前記平坦化膜上に形成され、前記第２薄膜トランジスタの電極に連結される第２電極と、
　前記第２電極と第１電極の上に形成され、前記第２電極の一部を露出させるように構成され、第１電極に隣接するように配置されたバンクパターンと、
　前記第２電極上に形成された有機発光層と、
　前記有機発光層上に形成された第３電極と、を含む有機発光ダイオード表示装置。」
で一致し、次の点で相違する。
（５）相違点
　本願発明では、「第１電極」が「少なくとも１つの第１開口を含」み、「前記第１開口は、前記バンクパターンの下に配置されている」のに対して、引用発明では、「導電性パターン２６０」はそのような開口を含まない点。
（６）判断
相違点について
　引用文献２の技術事項の「基板１０」、「表示部５２」、「画素部５１」、「表示部５２外」、「薄膜トランジスタである駆動素子２５」、「平坦化膜３０」、「電極板３３」、「ソース・ドレイン電極２４」、「下部電極３１」、「隔壁３６」、「電界発光機能を有する有機層」、「上部電極３９」及び「有機ＥＬ表示パネル装置１」は、それぞれ、引用発明の「第１基板２００」、「画素部（第１領域）」、「画素」、「内蔵回路部及びカソードコンタクド部（第２領域）と、バス部（第３領域）と、シーリング部（第４領域）」、「薄膜トランジスタ２２０」、「平坦化膜２４０」、「導電性パターン２６０」、「薄膜トランジスタ２２０のソース及びドレイン電極２２０ｃ、２２０ｄのうちのいずれか１つの電極」、「第１電極２５０ａ」、「画素定義膜２７０」、「有機発光層２５０ｂ」、「第２電極２５０ｃ」及び「有機電界発光表示装置」に相当する。
　すると、引用発明と、引用文献２の技術事項の「有機ＥＬ表示パネル装置１」は、ともに、表示領域外（「内蔵回路部及びカソードコンタクド部（第２領域）と、バス部（第３領域）と、シーリング部（第４領域）」、「表示部５２外」）で、平坦化膜（「平坦化膜２４０」、「平坦化膜３０」）の上に電極（「導電性パターン２６０」、「電極板３３」）が形成された構成で一致するから、引用発明においても、引用文献２の技術事項の「水分や酸などの成分が吸収された状態の平坦化膜を、例えば、陰極用配線として用いる電極板で覆うと、平坦化膜内に水分や酸などの成分が吸収された状態で密閉され、その状態で、平坦化膜の上方に有機層が積層すると、平坦化膜に含まれた水分や酸などの成分がアウトガスとなって有機層に漏れ出し、有機層がアウトガスと反応して有機層の品質が劣化し、画素シュリンクが発生したり、また、平坦化膜内にアウトガスが密閉されることにより、そのガス圧力によって電極板が剥がれ、表示部の周辺部でアウトガスが有機層に漏れ出してしまい、表示部の周辺部に位置する有機層がアウトガスと反応し、周辺部が白色化するという問題がある。」という問題が生じることは、当業者には容易に理解し得るところである。
　そこで、引用発明において、これらの問題を解決するべく、引用文献２の技術事項の「有機ＥＬ表示パネル装置１」の「電極板３３は、表示部５２外で平坦化膜３０を覆うように形成され、平坦化膜３０からアウトガスを排出する複数の孔部５０を有しており」という構成を採用し、その際、引用発明では「導電性パターン２６０の上に画素定義膜２７０が形成され」ているところ、引用文献２の技術事項の「有機ＥＬ表示パネル装置１」の「孔部５０が隔壁３６の下に配置されている」構成と同様、「導電性パターン２６０」のうちの「画素定義膜２７０」が形成されている箇所、すなわち、「画素定義膜２７０」の下の「導電性パターン２６０」に孔部を配置することは、当業者が容易になし得ることである。
（７）効果について
　請求人は、本願発明により、アウトガスが「平坦化膜」から「第１開口」を介して「バンクパターン」に放出されるという作用を奏し得ると主張するが、引用文献２の技術事項の「有機ＥＬ表示パネル装置１」においても、「孔部５０が隔壁３６の下に配置されている」のであるから、アウトガスが「平坦化膜３０」から「孔部５０」を介して「隔壁３６」に放出されるという作用を奏し得ていることは明らかである。
　すると、本願発明が奏し得る上記作用は、引用文献２の技術事項の「有機ＥＬ表示パネル装置１」が、既に奏し得ている作用であって、格別なものではない。
　また、他に、本願発明が奏し得る効果は、引用発明及び引用文献２の技術事項の「有機ＥＬ表示パネル装置１」が、既に奏し得ている効果であるか、又は、引用発明及び引用文献２の技術事項から当業者が予測し得る効果であって、格別なものではない。
　なお、請求人が主張する、アウトガスが「平坦化膜」から「第１開口」を介して「バンクパターン」に放出されることにより、アウトガスが有機発光層に影響を及ぼし、有機発光層を劣化させることを防ぐことができるという効果には、次のような疑義があり、直ちに認めることはできない。（なお、アウトガスが「バンクパターン」に放出されると、アウトガスは「バンクパターン」に吸収されると解するのが相当である。）
　すなわち、アウトガスが「平坦化膜」から「第１開口」を介して「バンクパターン」に放出され、吸収されたとしても、「バンクパターン」に吸収されたアウトガスは、その後、さらに、「バンクパターン」から放出されるから、最終的に、アウトガスが有機発光層に影響を及ぼし、有機発光層を劣化させることを防ぐことができるとは認めがたい。
　したがって、上記請求人の主張は採用することができない。
（８）結論
　本願発明は、引用発明及び引用文献２の技術事項に基いて当業者が容易に発明をすることができたものであるから、特許法第２９条第２項の規定により特許を受けることができない。
第４．むすび
　以上のとおり、本願発明は、特許法第２９条第２項の規定により特許を受けることができないから、本願の他の請求項に係る発明について検討するまでもなく、本願は拒絶されるべきものである。
　よって結論のとおり審決する。